(57)【要約】【課題】機器本体や電池のサイズを小型化しても、電池収納部に収納された電池をロックするロック機構をスペース効率よく配置できるようにして、部品点数の削減、並びに電子機器の薄型化及び小型化を実現する仕組みを提供する。【解決手段】電池又はカプラが挿脱可能に収納される電池収納部１１０ａの挿脱口を開閉可能な電池蓋２００（プレート２０３）と、電池蓋２００を回動可能に支持する回動軸２０５と、電池収納部１１０ａに収納された電池又はカプラに係合して電池又はカプラをロックするロック部材２０２と、電池蓋２００を開き方向に付勢する付勢部材２０４と、を備える。ロック部材２０２は、回動軸２０５の軸方向に沿って電池又はカプラに係合する第１の位置と係合状態を解除する第２の位置とに移動可能に設けられ、付勢部材２０４は、回動軸２０５と同軸に配置されて、ロック部材２０２を前記係合する位置に向けて付勢する。【選択図】図２
2015181091.tif 000002
【特許請求の範囲】
【請求項１】
電池又はカプラが挿脱可能に収納される電池収納部が形成される電池収納部材と、
前記電池収納部の挿脱口を開閉可能な電池蓋と、
前記電池蓋を回動可能に支持する回動軸と、
前記電池収納部に収納された前記電池又は前記カプラに係合して前記電池又は前記カプラをロックするロック部材と、
前記電池蓋を開き方向に付勢する付勢部材と、を備え、
前記ロック部材は、前記回動軸の軸方向に沿って前記電池又は前記カプラに係合する第１の位置と係合状態を解除する第２の位置との間を移動可能に設けられ、
前記付勢部材は、前記回動軸と同軸に配置されて、前記ロック部材を前記第１の位置に向けて付勢することを特徴とする電子機器。
【請求項２】
前記ロック部材は、前記回動軸を中心とする回転を規制された状態で前記回動軸の軸方向に沿って移動可能に設けられることを特徴とする請求項１に記載の電子機器。
【請求項３】
前記電池蓋は、前記電池蓋を閉じた状態となるときに前記第１の位置となる前記ロック部材と係合し、前記ロック部材の前記第２の位置への移動を規制することを特徴とする請求項１又は２に記載の電子機器。
【請求項４】
前記ロック部材が前記第１の位置となるときに、前記回動軸を中心とする前記ロック部材の回動を規制し、前記ロック部材が前記第２の位置となるときに、前記回動軸を中心とする前記ロック部材の回動を許容する規制手段と、
前記ロック部材を前記第１の位置から前記第２の位置へ移動させる際に、前記回動軸を中心として前記ロック部材を回動させる回動手段と、を備えることを特徴とする請求項１ないし３の何れか１項に記載の電子機器。
【請求項５】
前記規制手段は、
前記電池収納部材に形成されている係合溝と、
前記ロック部材に形成されている突起部と、を有し、
前記係合溝には、幅寸法が異なる複数の領域が形成されており、前記突起部が前記係合溝の前記複数の領域の何れかに係合することで、前記回動軸を中心とする前記ロック部材の回動を規制することを特徴とする請求項４に記載の電子機器。
【請求項６】
前記回動手段は、
前記電池収納部材に形成されているカム面と、
前記ロック部材に形成されている摺動部と、を有し、
前記ロック部材を前記第１の位置から前記第２の位置へ移動させる際に、前記摺動部が前記カム面を摺動することで、前記回動軸を中心として前記ロック部材を回動させることを特徴とする請求項４又は５に記載の電子機器。
【発明の詳細な説明】
【技術分野】
【０００１】
本発明は、電池収納部が設けられた例えばデジタルカメラやデジタルビデオカメラ等の電子機器に関する。
【背景技術】
【０００２】
デジタルカメラ等の電子機器では、機器本体の内部に電池を挿脱可能に収納するための電池収納部が設けられるものがある。電池収納部には、電池挿脱口を開閉可能に覆う電池蓋が取り付けられ、また、収納された電池をロックするロック機構が設けられる。
【０００３】
ロック機構としては、例えば、電池収納部に収納された電池の挿脱方向に直交する回動軸を介して回動するロック部材により電池をロックするロック機構（特許文献１）が開示されている。また、電池の電池挿脱口側の端面に沿ってスライド可能なロック部材により電池収納部に収納された電池をロックするロック機構（特許文献２）が開示されている。更に、電池収納部に外部電源供給用のケーブル付カプラを挿脱可能に収納することも開示されている（特許文献３）。
【先行技術文献】
【特許文献】
【０００４】
【特許文献１】特開２０１０−１８６６３３号公報
【特許文献２】特許第４０１９７７６号公報
【特許文献３】特開２０１３−１３０７００号公報
【発明の概要】
【発明が解決しようとする課題】
【０００５】
上記特許文献１では、機器の更なる小型化に伴い、機器本体や電池のサイズが小さくなった場合等に、電池蓋のヒンジや電池蓋を開き方向に付勢する付勢部材等の配置スペースを確保する必要があるため、ロック機構をレイアウトすることが困難になる。
【０００６】
また、上記特許文献２では、ロック部材をスライド移動させる空間を確保する必要があり、結果として電子機器が大型化してしまう。また、上記特許文献３に示すケーブル付きカプラを電池収納部に収納する場合には、ケーブルの引き出し口に重ならないようにロック部材を配置する必要があるため、ロック部材をレイアウトすることが更に困難となる。
【０００７】
そこで、本発明は、機器本体や電池のサイズを小型化しても、電池収納部に収納された電池をロックするロック機構をスペース効率よく配置できるようにして、部品点数の削減、並びに電子機器の薄型化及び小型化を実現する仕組みを提供することを目的とする。
【課題を解決するための手段】
【０００８】
上記目的を達成するために、本発明の電子機器は、電池又はカプラが挿脱可能に収納される電池収納部が形成された電池収納部材と、前記電池収納部の挿脱口を開閉可能な電池蓋と、前記電池蓋を回動可能に支持する回動軸と、前記電池収納部に収納された前記電池又は前記カプラに係合して前記電池又は前記カプラをロックするロック部材と、前記電池蓋を開き方向に付勢する付勢部材と、を備え、前記ロック部材は、前記回動軸の軸方向に沿って前記電池又は前記カプラに係合する第１の位置と係合状態を解除する第２の位置との間を移動可能に設けられ、前記付勢部材は、前記回動軸と同軸に配置されて、前記ロック部材を前記係合する位置に向けて付勢することを特徴とする。
【発明の効果】
【０００９】
本発明によれば、機器本体や電池のサイズを小型化しても、電池収納部に収納された電池をロックするロック機構をスペース効率よく配置できるようにして、部品点数の削減、並びに電子機器の薄型化及び小型化を実現することができる。
【図面の簡単な説明】
【００１０】
【図１】（ａ）は本発明の電子機器の第１の実施形態であるデジタルカメラを正面側上方から見た斜視図、（ｂ）は（ａ）に示すデジタルカメラを底面側から見た背面斜視図（ｃ）は（ｂ）に示すデジタルカメラの電池蓋を開いた状態を示す斜視図である。
【図２】電池蓋ユニットの分解斜視図である。
【図３】ロック部材、電池、回動軸、及び電池収納部材の関係を示す要部断面図である。
【図４】（ａ）は電池蓋が開いた状態でロック部材が電池収納部に収納された電池に係合（ロック）する位置にある状態をカメラ本体の底面側から見た図、（ｂ）は（ａ）の一部を切り欠いた図である。
【図５】（ａ）は電池蓋が開いた状態でロック部材が電池収納部に収納された電池から退避した位置にある状態をカメラ本体の底面側から見た図、（ｂ）は（ａ）の一部を切り欠いた図である。
【図６】電池収納部に電池を収納してプレートを閉じた状態をカメラ本体の底面側から見た図である。
【図７】（ａ）は電池蓋を開いた状態での要部断面図、（ｂ）は電池蓋を閉じた状態での要部断面図である。
【図８】電池に代えて電池収納部に収納される外部電源供給用のカプラの斜視図である。
【図９】カプラ本体を電池収納部に収納して電池蓋を開いた状態をカメラ本体の底面側から見た斜視図である。
【図１０】本発明の電子機器の第２の実施形態であるデジタルカメラにおいて、カメラ本体の底面側から見た要部平面図である。
【図１１】（ａ）は電池蓋が開いた状態でロック部材が電池収納部に収納された電池に係合する位置にある状態をカメラ本体の底面側から見た図、（ｂ）は（ａ）の一部を切り欠いた図、（ｃ）は（ａ）のカム面から拡大溝部にかけての断面図である。
【図１２】（ａ）は電池蓋が開いた状態でロック部材が電池収納部に収納された電池から退避した位置にある状態をカメラ本体の底面側から見た図、（ｂ）は（ａ）の一部を切り欠いた図、（ｃ）は（ａ）のカム面から拡大溝部にかけての断面図である。
【発明を実施するための形態】
【００１１】
以下、図面を参照して、本発明の実施形態を説明する。
【００１２】
（第１の実施形態）
図１（ａ）は本発明の電子機器の第１の実施形態であるデジタルカメラを正面側上方から見た斜視図、図１（ｂ）は図１（ａ）に示すデジタルカメラを底面側から見た背面斜視図である。
【００１３】
図１（ａ）に示すように、本実施形態のデジタルカメラ１００は、カメラ本体１０１の正面側に、ズーム式の鏡筒ユニット１０２が設けられ、カメラ本体１０１の上面部には、電源ボタン１０４及びレリーズボタン１０５が設けられる。
【００１４】
図１（ｂ）に示すように、カメラ本体１０１の背面部には、表示部１０８が設けられ、表示部１０８の側部には、各種操作ボタン群１０７が設けられる。カメラ本体１０１の底面部の中央には、三脚座１０９が設けられ、三脚座１０９の側部には、電池収納部１１０ａ（図１（ｃ）参照）の挿脱口を開閉可能に覆う電池蓋２００が設けられる。
【００１５】
電池収納部１１０ａは、電池収納部材１１０（図２参照）に設けられ、電池蓋２００は、三脚座１０９側に配置される回動軸２０５（図２参照）を介してカメラ本体１０１に対して開閉方向に回動可能に支持される。電池蓋２００には、操作部材２０１がスライド移動可能に設けられ、操作部材２０１をスライド操作することで、電池蓋２００を開くことができる。
【００１６】
図１（ｃ）は、図１（ｂ）に示すデジタルカメラ１００の電池蓋２００を開いた状態を示す斜視図である。図１（ｃ）に示すように、電池蓋２００を開くことで、後述する電池４００（図３参照）又はカプラ３００（図８参照）が挿脱可能に収納される電池収納部１１０ａが外部に露出する。
【００１７】
なお、本実施形態では、電池蓋２００が開いた状態において、電池４００やカプラ３００だけでなく、外部記憶媒体４０１も電池収納部１１０ａに挿脱可能に収納されるようになっている。また、カメラ本体１０１の側面部と電池収納部１１０ａとの間には、ケーブル蓋１０３が開閉可能に設けられている。このケーブル蓋１０３については後述する。
【００１８】
図２は、電池蓋ユニットの分解斜視図である。図３は、ロック部材２０２、電池４００、回動軸２０５及び電池収納部材１１０の関係を示す要部断面図である。
【００１９】
図２に示すように、電池蓋２００に設けられた操作部材２０１は、爪部２０１ａを有し、電池蓋２００を閉じた状態で操作部材２０１をスライド操作して爪部２０１ａをカメラ本体１０１の不図示の係合穴に係合させることで、電池蓋２００の閉じ状態が維持される。電池蓋２００の裏面には、プレート２０３が操作部材２０１を間に挟んで状態でビス２０６により一体に固定される。電池蓋２００及びプレート２０３には、回動軸２０５が挿通配置され、回動軸２０５の両端部は、電池収納部材１１０に支持される。本実施形態では、電池蓋２００とプレート２０３とが一体化されたものが本発明の電池蓋の一例に相当する。本実施形態では、電池蓋２００及びプレート２０３が、ともに回動軸２０５に回動可能に支持される構成となっている。これに代えて、プレート２０３のみが回動軸２０５に回動可能に支持され、電池蓋２００は回動軸２０５に回動可能に支持されずにプレート２０３に固定される構成であってもよい。
【００２０】
回動軸２０５には、ロック部材２０２が回転規制された状態で回動軸２０５の外周部に軸方向に移動可能に挿入されている。ロック部材２０２は、電池収納部１１０ａに収納された電池４００又はカプラ３００に係合して電池４００又はカプラ３００が電池収納部１１０ａから取り出し方向に移動しないようにロックする部材である。
【００２１】
図３に示すように、ロック部材２０２には、リブ２０２ｃが設けられ、リブ２０２ｃが電池収納部材１１０に形成された回転規制溝１１０ｃに係合することで、ロック部材２０２の図の時計周り方向及び反時計回り方向の回転が規制される。また、ロック部材２０２は、電池収納部材１１０の設けられた当接面１０ｅに対して電池４００又はカプラ３００の挿入方向に当接し、当接面１０ｅは、ロック部材２０２の図の反時計周り方向の回転を規制する。
【００２２】
図２及び図３に示すように、付勢部材２０４は、ロック部材２０２の円筒部外周に挿入される圧縮コイルばね部２０４ｃと、圧縮コイルばね部２０４ｃの両端に設けられる一対の腕部２０４ａ，２０４ｂとを有する。圧縮コイルばね部２０４ｃは、ロック部材２０２が回動軸２０５の軸方向に沿って電池収納部１１０ａに収納された電池４００又はカプラ３００に係合する方向に付勢する。
【００２３】
また、一対の腕部２０４ａ，２０４ｂのうちの一方の腕部２０４ａは、ロック部材２０２に設けられた掛止溝２０２ｂに掛止され、他方の腕部２０４ｂは、電池蓋２００に設けられた掛止突起２００ａに掛止される。これにより、電池蓋２００がプレート２０３と共に回動軸２０５を中心に開き方向に付勢される。
【００２４】
図４（ａ）は電池蓋２００の開き状態でロック部材２０２が電池収納部１１０ａに収納された電池４００に係合（ロック）する位置にある状態をカメラ本体１０１の底面側から見た図、図４（ｂ）は図４（ａ）の一部を切り欠いた図である。
【００２５】
図４に示す状態では、ロック部材２０２は、付勢部材２０４の圧縮コイルばね部２０４ｃにより回動軸２０５の軸方向に沿って付勢される。この付勢により、ロック部材２０２は、電池収納部１１０ａに収納された電池４００の端子面とは反対側の端面に係合する位置に移動している。これにより、電池収納部１１０ａに収納された電池４００にロック部材２０２の先端部に設けられた係合部２０２ａが係合して、電池４００が電池収納部１１０ａの内部から突出しないようにロックされる。
【００２６】
このとき、ロック部材２０２は、電池蓋２００に固定されたプレート２０３の当接部２０３ａに当接しており、これにより、圧縮コイルばね部２０４ｃの付勢力が受け止められて、電池４００に対するロック部材２０２の係合部２０２ａの係合量が決定される。
【００２７】
図５（ａ）は電池蓋２００の開き状態でロック部材２０２が電池収納部１１０ａに収納された電池４００から退避した位置にある状態をカメラ本体１０１の底面側から見た図、図５（ｂ）は図５（ａ）の一部を切り欠いた図である。
【００２８】
図５は、ユーザ操作によりロック部材２０２を圧縮コイルばね部２０４ｃの付勢力に抗して電池４００から退避させる方向に移動させた状態を示している。この状態では、電池４００に対するロック部材２０２の係合部２０２ａの係合が解除され、電池収納部１１０ａの底部に設けられた不図示の排出ばねの付勢力により電池４００が取り出し可能な位置まで電池収納部１１０ａから突出する。
【００２９】
このとき、ロック部材２０２は、プレート２０３の当接部２０３ｂに突き当たることで退避位置が決定される。また、ロック部材２０２は、回動軸２０５、電池４００及び記録媒体４０１を配置した際に形成される空きスペースに退避し、カメラ本体１０１の高さ方向に対しても使用空間が少なくてすむ。このため、限られたスペースを有効に活用して省スペース化を実現することができる。
【００３０】
図６は、電池収納部１１０ａに電池４００を収納してプレート２０３を閉じた状態をカメラ本体１０１の底面側から見た図である。なお、図６では、説明の便宜上、電池蓋２００の図示は省略している。
【００３１】
図６に示す状態では、ロック部材２０２は、図４と同様に、付勢部材２０４の圧縮コイルばね部２０４ｃの付勢力により電池４００に係合する位置に回動軸２０５の軸方向に沿って移動している。この状態で電池蓋２００がプレート２０３とともに閉じられる。
【００３２】
このとき、プレート２０３に形成された切り欠き部２０３ｃにロック部材２０２が嵌りこむ。すなわち、プレート２０３とロック部材２０２が係合する状態となる。これにより、電池蓋２００を閉じた状態で落下等の衝撃でロック部材２０２が電池４００の係合状態を解除する方向へ移動しようとした場合でも、切り欠き部２０３ｃによりロック部材２０２の当該移動を規制することができる。この結果、電池収納部１１０ａに収納された電池４００を確実にロックすることができる。
【００３３】
図７（ａ）は電池蓋２００を開いた状態での要部断面図、図７（ｂ）は電池蓋２００を閉じた状態での要部断面図である。
【００３４】
図７（ａ）に示す状態では、電池蓋２００は、上述したように、付勢部材２０４により開き方向に付勢され、付勢部材２０４の腕部２０４ｂは、電池蓋２００の掛止突起２００ａに掛止されている。掛止突起２００ａは、プレート２０３に設けられた保護壁２０３ａにより覆われており、これにより、落下等の衝撃が加わっても腕部２０４ｂが掛止突起２００ａから外れないようになっている。
【００３５】
また、付勢部材２０４及びロック部材２０２は、電池蓋２００の回動中心となる回動軸２０５と同軸配置されている。このため、電池４００又はカプラ３００をロックするロック機構をスペース効率よく配置することができるとともに、電池蓋２００の回動動作を効率よく行うことができる。
【００３６】
図７（ｂ）に示す状態では、電池蓋２００は、付勢部材２０４の付勢力に抗してプレート２０３及び操作部材２０１とともに閉じ位置に回動している。この状態で、操作部材２０１をスライド操作して爪部２０１ａをカメラ本体１０１の不図示の係合穴に係合させることで、電池蓋２００の閉じ状態が維持される。
【００３７】
図８は、電池４００に代えて電池収納部１１０ａに収納される外部電源供給用のカプラ３００の斜視図である。
【００３８】
図８に示すように、カプラ３００は、カプラ本体３０１と、カプラ本体３０１の上面部中央から引き出されるケーブル３０３とを有する。カプラ本体３０１は、電池４００とほぼ同形状になっており、ケーブル３０３の先端部には、外部電源に接続される接続部３０４が設けられている。
【００３９】
カプラ本体３０１の底面部には、電池４００と同様に電極３０２が形成されており、カプラ本体３０１が電池収納部１１０ａに収納されると、電極３０２が電池収納部１１０ａの底部に設けられたコネクタに電気的に接続される。これにより、カプラ３００を介して外部電源からデジタルカメラ１００へ電力を供給することができる。
【００４０】
カプラ本体３０１の上面部には、ケーブル３０３を外部に引き出すためのスリット部３０１ａが形成されている。スリット部３０１ａは、カプラ本体３０１の幅方向（図の左右方向）全域に形成されている。ケーブル３０３は、カプラ本体３０１の幅方向中央から引き出されており、図８に示す状態とは逆方向の１８０度向きを切り替えて引き出すことが可能になっている。
【００４１】
図９は、カプラ３００のカプラ本体３０１を電池収納部１１０ａに収納して電池蓋２００を開いた状態をカメラ本体１０１の底面側から見た斜視図である。
【００４２】
図９に示すように、電池収納部１１０ａに収納されたカプラ本体３０１は、電池４００の場合と同様にして、ロック部材２０２によりロックされる。また、本実施形態では、スリット部３０１ａを有するカプラ本体３０１であっても、スリット部３０１ａを避けた位置でカプラ本体３０１を電池収納部１１０ａ内に確実にロックをすることが可能である。
【００４３】
ケーブル３０３は、カメラ本体１０１に設けられたケーブル蓋１０３を開くことで、電池収納部材１１０及びカメラ本体１０１に形成された溝部１１０ｂを通ってカメラ本体１０１の外部へ引き出される。
【００４４】
また、図９の状態で、電池蓋２００を閉じて操作部材２０１の爪部２０１ａをカメラ本体１０１の不図示の係合穴に係合させることも可能である。ケーブル３０３もカメラ本体１０１の横方向に引き出されるため、カメラ本体１０１にカプラ３００を装着した状態でもカメラ本体１０１を床等に載置することが可能である。
【００４５】
以上説明したように、本実施形態では、カメラ本体１０１や電池４００のサイズを小型化しても、電池収納部１１０ａに収納された電池４００をロックするロック機構をスペース効率よく配置することができる。これにより、部品点数の削減、並びにデジタルカメラ１００の薄型化及び小型化を実現することができる。
【００４６】
（第２の実施形態）
次に、図１０乃至図１２を参照して、本発明の電子機器の第２の実施形態であるデジタルカメラについて説明する。なお、上記第１の実施形態に対して重複又は相当する部分については、各図に同一符号を付してその説明を省略する。
【００４７】
図１０は、カメラ本体１０１の底面側から見た要部平面図である。本実施形態では、上記第１の実施形態におけるロック部材２０２及び電池収納部材１１０をそれぞれロック部材６０２及び電池収納部材５１０に変更している。また、図１０では、ロック部材６０２は、形状変更箇所を説明するため、電池収納部材５１０との係合状態から１８０度裏返した状態で示している。
【００４８】
図１０に示すように、ロック部材６０２は、突起部６０２ｃを有し、突起部６０２ｃは、電池収納部材５１０に設けられた係合溝５１０ｃと係合する。係合溝５１０ｃには、第１の領域５１０ｃ１、第２の領域５１０ｃ２および第３の領域５１０ｃ３が連続的に形成されている。第１の領域５１０ｃ１の幅寸法は、突起部６０２ｃの幅寸法よりわずかに大きい寸法に設定されている。したがって、突起部６０２ｃが第１の領域５１０ｃ１と係合するときには、ロック部材６０２は回動軸２０５を中心として回動することができない。第３の領域５１０ｃ３は、第１の領域５１０ｃ１の幅寸法よりも大きく設定されている。したがって、突起部６０２ｃが第３の領域５１０ｃ３と係合するときには、ロック部材６０２は回動軸２０５を中心として回動することができる。
【００４９】
第２の領域５１０ｃ２は、第１の領域５１０ｃ１と第３の領域５１０ｃ３との間に形成されている。第２の領域５１０ｃ２の幅寸法は、徐々に大きくなっていき、第１の領域５１０ｃ１と第３の領域５１０ｃ３との間を連続的に接続する。突起部６０２ｃおよび複数の領域が形成されている係合溝５１０ｃは、回動軸２０５を中心とするロック部材６０２の回動を規制する、あるいは回動軸２０５を中心とするロック部材６０２の回動を許容する規制手段として機能する。
【００５０】
ロック部材６０２は、第１の実施形態と同じように、付勢部材２０４によって回動軸２０５の軸方向に沿ってカメラ本体１０１の正面側に向けて付勢されている。ロック部材６０２のロック部６０２ａが電池収納部５１０ａに収納された電池をロックしている範囲では、突起部６０２ｃが係合溝５１０ｃの第１の領域５１０ｃ１と係合する。これにより、ロック部材６０２は、回動軸２０５を中心とする回動が規制され、主に電池排出方向の力を受けた際にロック部材６０２が回動しない構成となっている。
【００５１】
また、ロック部材６０２は、摺動部６０２ｄを有している。電池収納部材５１０には、摺動面５１０ｅおよびカム面５１０ｆが形成されている。カム面５１０ｆは、摺動面５１０ｅよりも突出形成されており、カム面５１０ｆは、傾斜面５１０ｆ１および平坦面５１０ｆ２を有している。付勢部材２０４の付勢力に抗してロック部材６０２を回動軸２０５の軸方向に沿ってカメラ本体１０１の背面側にスライド移動させると、摺動部６０２ｄは、電池収納部材５１０に設けられた摺動面５１０ｅを摺動する。ロック部材６０２のロック部６０２ａが電池収納部５１０ａに収納された電池をロックしている範囲では、摺動部６０２ｄが摺動面５１０ｅを摺動する。摺動部６０２ｄおよびカム面５１０ｆは、回動軸２０５を中心としてロック部材６０２を回動させる回動手段として機能する。
【００５２】
ロック部材６０２のロック部６０２ａが電池収納部５１０ａに収納された電池にロックしている範囲では、突起部６０２ｃが第１の領域５１０ｃ１と係合している。これによって、ロック部材６０２は回動軸２０５を中心として回動することができない。
【００５３】
上記第１の実施形態では、ロック部材６０２のスライド範囲全域で、ロック部材６０２の回動軸２０５を中心とした回動を規制していた。これに対して、本実施形態では、ロック部材６０２が電池から退避する方向に所定量スライドした位置からロック部材６０２の回動軸２０５を中心とした回動を許容するように構成している。ここで、ロック部材６０２の回動開始位置の一例として、ロック部材６０２が電池排出の規制面の投影から外れた位置を回動開始位置とする。すなわち、ロック部材６０２のロック部６０２ａが電池収納部５１０ａに収納された電池をロックしない状態となる位置を回動開始位置としている。なお、この位置に関しては機能・操作性に応じで前後させることが可能である。
【００５４】
付勢部材２０４の付勢力に抗してロック部材６０２を回動開始位置までスライド移動させると、ロック部材６０２の突起部６０２ｃは、係合溝５１０ｃの第２の領域５１０ｃ２と係合する状態となる。
【００５５】
このとき、ロック部材６０２の摺動部６０２ｄは、摺動面５１０ｅを摺動する状態からカム面５１０ｆの傾斜面５１０ｆ１を摺動する状態となる。これによって、ロック部材６０２は、回動軸２０５を中心として回動を開始する。
【００５６】
付勢部材２０４の付勢力に抗してロック部材６０２を回動開始位置からさらにスライド移動させると、ロック部材６０２の突起部６０２ｃは、係合溝５１０ｃの第３の領域５１０ｃ２と係合する状態となる。このとき、ロック部材６０２の摺動部６０２ｄは、カム面５１０ｆの傾斜面５１０ｆ１を摺動する状態からカム面５１０ｆの平坦面５１０ｆ２を摺動する状態となる。これによって、ロック部材６０２の回動軸２０５を中心とする回動が完了する。
【００５７】
図１１（ａ）は、電池蓋２００の開き状態でロック部材６０２が電池収納部５１０ａに収納された電池４００をロックする位置にある状態をカメラ本体１０１の底面側から見た図である。図１１（ｂ）は、図１１（ａ）のＡ−Ａ断面図であり、電池収納部５１０ａからロック部材６０２側を見た図である。図１１（ｃ）は、図１１（ａ）Ｂ−Ｂ断面図である。
【００５８】
図１１に示す状態では、ロック部材６０２は、付勢部材２０４の圧縮コイルばね部２０４ｃにより回動軸２０５の軸方向にカメラ本体１０１の正面側に向けて沿って付勢される。この付勢部材２０４の付勢力により、ロック部材６０２は、電池収納部５１０ａに収納された電池４００の端面に係合する位置に移動している。これにより、電池収納部５１０ａに収納された電池４００の端面にロック部材６０２の係合部６０２ａが係合して、電池４００が電池収納部５１０ａに収納された状態を維持する。
【００５９】
このとき、ロック部材６０２は、電池蓋２００に固定されたプレート２０３の当接部２０３ａに当接しており、これにより、圧縮コイルばね部２０４ｃの付勢力が受け止められて、電池４００に対するロック部材６０２の係合部６０２ａの係合量が決定される。また、ロック部材６０２の回動は、前述したように、突起部６０２ｃが電池収納部材５１０に設けられた係合溝５１０ｃと係合することで規制されている。
【００６０】
図１２（ａ）は、電池蓋２００の開き状態でロック部材６０２の係合部６０２ａが電池収納部５１０ａに収納された電池４００の端面から退避した位置にある状態をカメラ本体１０１の底面側から見た図である。図１２（ｂ）は、図１２（ａ）のＡ−Ａ断面図であり、電池収納部５１０ａからロック部材６０２側を見た図である。図１２（ｃ）は、図１２（ａ）のＢ−Ｂ断面図である。
【００６１】
図１２は、ユーザの操作によりロック部材６０２を圧縮コイルばね部２０４ｃの付勢力に抗して電池４００の端面から退避させる方向にスライド移動させた状態を示している。この状態では、電池４００に対するロック部材６０２の係合部６０２ａの係合が解除され、電池収納部５１０ａの底部に設けられた不図示の排出ばねの付勢力により電池４００が取り出し可能な位置まで電池収納部５１０ａから突出する。
【００６２】
このとき、ロック部材６０２は、プレート２０３の当接部２０３ｂに突き当たることで退避位置が決定される。このとき、突起部６０２ｃは、係合溝５１０ｃの第３の領域５１０ｃ３と係合しているので、ロック部材６０２の回動軸２０５を中心とする回動規制は解除されている。また、摺動部６０２ｄがカム面５１０ｆを摺動することによって、ロック部材６０２が回動軸２０５を中心として回動する。
【００６３】
以上説明したように、本実施形態では、ロック部材６０２を回動軸２０５、電池４００及び記録媒体４０１を配置した際に形成される空きスペースに退避させ、回動する際に使用する空間も電池蓋２００を開くこと形成された空間を使用している。これにより、カメラ本体１０１や電池４００のサイズを小型化しても、電池収納部５１０ａに収納された電池４００をロックするロック機構をスペース効率よく配置することができ、部品点数の削減、並びにデジタルカメラ１００の薄型化及び小型化を実現している。
【００６４】
また、本実施形態では、上記第１の実施形態に加えて、ロック部材６０２をスライドに伴って電池排出方向に回動させる構成としている。これにより、ロック部材６０２の指掛け部がリフトアップして、ロック部材６０２に指を掛けやすくすることができ、操作性改善も実現している。その他の構成、及び作用効果は、上記第１の実施形態と同様である。
【００６５】
なお、本発明の構成は、上記各実施形態に例示したものに限定されるものではなく、材質、形状、寸法、形態、数、配置箇所等は、本発明の要旨を逸脱しない範囲において適宜変更可能である。
【００６６】
例えば、上記各実施形態では、電子機器としてデジタルカメラを例示したが、これに限定されず、デジタルビデオカメラやその他の電子機器であってもよい。
【符号の説明】
【００６７】
１０１  カメラ本体
１０３  ケーブル蓋
１１０  電池収納部材
１１０ａ  電池収納部
２００  電池蓋
２０１  操作部材
２０２  ロック部材
２０３  プレート
２０４  付勢部材
２０５  回動軸
３００  カプラ
４００  電池
【図１】
2015181091.tif 000003
【図２】
2015181091.tif 000004
【図３】
2015181091.tif 000005
【図４】
2015181091.tif 000006
【図５】
2015181091.tif 000007
【図６】
2015181091.tif 000008
【図７】
2015181091.tif 000009
【図８】
2015181091.tif 000010
【図９】
2015181091.tif 000011
【図１０】
2015181091.tif 000012
【図１１】
2015181091.tif 000013
【図１２】
2015181091.tif 000014